(57)【要約】      （修正有）【課題】ＨａｎｓＣｏｌｅｒコンバータを電界検出器として主張すると共に、電動機への応用技術をテイキ提供する。【解決手段】ＨａｎｓＣｏｌｅｒコンバータを磁芯コイルが電界検出器として機能する様な電界状況、もしくは磁芯の特性を有する様な状況で（強磁性体は電界周波数により導電特性が変化する為）、その電界より電力を抽出し直流電力源として機能させる。【選択図】図４
2015100255.tif 000002
【特許請求の範囲】
【請求項１】
磁芯コイルが電界検出器として機能する様な電界状況、もしくは磁芯の特性を有する様な状況で（強磁性体は電界周波数により導電特性が変化する為）、その電界より電力を抽出し直流電力源として機能する‘Ｈａｎｓ  Ｃｏｌｅｒ’コンバータ。
【請求項２】
請求項１において、受信電界の変調形態により‘Ｈａｎｓ  Ｃｏｌｅｒ’コンバータそのものがローターとして機能する可変速度特性を有する電界電動機。
【請求項３】
請求項１、請求項２で実現する‘Ｈａｎｓ  Ｃｏｌｅｒ’コンバータの応用形態として磁芯コイル内磁石を電磁石構造とする事で回転方向を可変する電界電動機。
【請求項４】
請求項１、請求項２で実現する‘Ｈａｎｓ  Ｃｏｌｅｒ’コンバータの応用形態として磁芯コイル内磁石を電磁石構造とする事で出力する直流電力方向を制御する周波数可変交流電力源。
【請求項５】
請求項３において、受信電界の変調形態により出力する直流電圧を可変制御する‘Ｈａｎｓ  Ｃｏｌｅｒ’コンバータ。
【請求項６】
‘Ｈａｎｓ  Ｃｏｌｅｒ’コンバータへの電力供給法として搬送波の振幅そのものをバースト形状とする電界電動機制御法。
【請求項７】
‘Ｈａｎｓ  Ｃｏｌｅｒ’コンバータへの電力供給法としてＦＭ、ＡＭ、ＰＭ等各種変調技術を用いる電界電動機制御法。
【発明の詳細な説明】
【技術分野】
【０００１】本発明は１９２５年前後にドイツ国で考案されたと言われている‘Ｈａｎｓ  Ｃｏｌｅｒ’コンバータに関するものである。１００年近く昔の発明であり、理論的に検証すれば‘Ｈａｎｓ  Ｃｏｌｅｒ’コンバータの実態は簡単に説明できるものであるが、なぜかこれまで‘無限発電機の電力発生部’とする考えが一般化しネット上では当然の様に語られている。【０００２】本発明は、あえて‘Ｈａｎｓ  Ｃｏｌｅｒ’コンバータの科学的実態を解説し、さらに１００年近く昔の発明が各種著作物として保護される事を阻止し、不特定多数が自由に‘Ｈａｎｓ  Ｃｏｌｅｒ’コンバータを利用できる様、電界検出器としての著作権主張と共に、その一応用形態である電動機への応用技術を特許として出願するものである。
【背景技術】
【０００３】ＵＦＯと言う言葉があり、オカルトとされている、しかしＵＦＯに関わる各種研究の中にはＵＦＯを‘一般に知られていない軍事技術’とする考えが古くから存在している。【０００４】本発明で取り上げる‘Ｈａｎｓ  Ｃｏｌｅｒ’コンバータもその様な技術の一つであり、いわゆるＵＦＯの研究家からは、‘超効率を生む無限エネルギー発電機’として古くより語られて来た、しかし当時の先端科学を基底に考察した場合、発明者は‘Ｈａｎｓ  Ｃｏｌｅｒ’コンバータは電界電力伝送実験の電力受信端末以外に考えられないと結論した。【０００５】発明者は‘Ｈａｎｓ  Ｃｏｌｅｒ’  コンバータの専門家では無く、従って‘Ｈａｎｓ  Ｃｏｌｅｒ’  コンバータに関する各種参考文献を持たない、以下に提示する参考文献はインターネット検索を利用し入手しているが、‘Ｈａｎｓ  Ｃｏｌｅｒ’  コンバータそのものが、発明された当時の時代背景を考慮した科学的な考察が行なわれていない事もあり、一般的な自然科学と方向を異にするフリーエネルギー関連書籍であるＰｒａｃｔｉｃａｌ  Ｇｕｉｄｅ  ｔｏ  ‘Ｆｒｅｅ−Ｅｎｅｒｇｙ’Ｄｅｖｉｃｅｓを参考文献例として取り上げた。
【非特許文献１】
2015100255.tif 000003
【非特許文献２】
2015100255.tif 000004
【非特許文献３】
2015100255.tif 000005
【非特許文献４】
2015100255.tif 000006
【非特許文献５】
2015100255.tif 000007
【非特許文献６】
2015100255.tif 000008
【非特許文献７】  ‘新たなるエネルギー原理の展開へ’内、Ｐ１３９等  市川雅英〜惑星空間の異次元発電原理と宇宙移動体〜（技術出版）
【発明の開示】
【発明が解決しようとする課題】
【０００６】発明者は、一般閲覧が可能な‘Ｈａｎｓ  Ｃｏｌｅｒ’  コンバータに関する情報が、極めて歪んだ形で伝えられている事実に気付き、科学的視野により‘Ｈａｎｓ  Ｃｏｌｅｒ’  コンバータを考察した場合に考えられる最も現実的な用途を‘真実’として不特定多数へ公開する為に特許制度を利用するものである。【０００７】すなわち本出願中の請求項各種は権利化する目的と異なり、不特定多数が‘Ｈａｎｓ  Ｃｏｌｅｒ’  コンバータにより具現化する電界電力伝送技術を公の常識とみなす事で１００年近く、恐らく一部の軍事／工業用途以外での利用が行なわれなかった同技術を‘小学生の常識’とし、１００年の秘匿期間を抹消すると共に新たな応用形態を発明する機会を不特定多数へ与えるものである。
【課題を解決するための手段】
【０００８】義務教育の場で学習する基本的な磁界と電流に関わる知識としてアンペアの右ネジの法則が存在する、発明者は過去９０年近くに渡り受け継がれて来た‘Ｈａｎｓ  ｃｏｌｅｒ’コンバータ内の‘磁芯コイル’をアンペアの右ネジの法則で考察した場合に得られる電流誘起現象と、恐らく高等学校過程で学習する‘フレミングの各種法則’から得られる電界の振る舞いを基本に‘Ｈａｎｓ  Ｃｏｌｅｒ’  コンバータを真面目に考察した。【０００９】アンペアの右ネジの法則から明らかな様に電流が流れる直線経路周囲にはらせん状の磁界が生じる、従って、直線状に磁界が生じる磁芯コイルではコイル内に電流が生じる事が理解できる。【００１０】本願内の磁芯コイルの様な応用では電流は直流磁界内に存在する為、コイル内の電流が直流となる事は明らかである、この静的直流電流は磁芯コイル内の磁力線によって生じる為、正確には微小電圧（暗電圧）の誘起として確認され、電力を得る事は不可能である（永久磁石から電力が得られない為）。【００１１】ここで、これら磁芯コイルに対し磁芯材質が十分な導電性を誘起可能な周波数領域の強電界を与えた場合を考える。【００１２】この場合、電界周波数および変調方式（例えばトーンバースト形状）を検討し磁芯コイルに最適なものとすれば、磁芯コイル上のインダクタンスに誘起する交流電圧は上記暗電圧により検波され直流化する事は十字コイルや変形ダイポールアンテナの実用例から明らかである。【００１３】そしてこの場合、［非特許文献７］Ｐ１３９からの記述や図面と同様に、強電界を磁芯コイルが検波する為、電力を得る事が可能になる。
【発明の効果】
【００１４】磁芯コイル内磁性材料を検討し電力送信電磁波の伝送周波数や変調形態を考慮する事で各電子管ダイオードや半導体ダイオードを用いる事無く直流電力を生成可能になり、電子管ダイオード利用による電子管の動作発熱や、半導体ダイオード利用によるスイッチング雑音を排除可能となる。
【発明を実施するための最良の形態】
【００１５】図１は‘Ｈａｎｓ  Ｃｏｌｅｒ’  コンバータの資料として一般に流通している磁芯コイルの巻線構造概略である、そして図２も‘Ｈａｎｓ  Ｃｏｌｅｒ’  コンバータの‘回路図’として一般に流通している結線図である。【００１６】図３は図１から得られる電気特性と図２の結線図をもとに等価回路としたもので、この‘等価回路’が通常フリーエネルギー研究者間で‘Ｈａｎｓ  Ｃｏｌｅｒ’  コンバータとよばれている。【００１７】‘Ｈａｎｓ  Ｃｏｌｅｒ’コンバータは軍需産業等、秘匿された正規科学技術分野を除いた一般認識において‘無限発電機の電力発生部’とされている、しかし‘正規’等価回路とされる図３は電子工学の視点で確認すると直感的に‘無限発電機の電力発生部’では無い事に気が付く。つまり図３において磁芯を電流が流れる構造であり、ここで必ず損失が生じる、そして同様な視点で各所を確認すると初歩の電気知識を持っても多くの電気的損失点を発見する事ができる。【００１８】つまり‘Ｈａｎｓ  Ｃｏｌｅｒ’コンバータの実態が‘無限発電機の電力発生部’であれば理論上、損失要因がゼロでなければならず、多くの電気的損失点を確認できる時点でこの装置は‘無限発電機の電力発生部’などではないのである。【００１９】しかし‘Ｈａｎｓ  Ｃｏｌｅｒ’コンバータの記録中に大電力の生成が可能とする正規記録が存在する為、何らかのエネルギーを電力エネルギーとして変換する装置である事に気が付く、これら考察から発明者は‘Ｈａｎｓ  Ｃｏｌｅｒ’コンバータは強電界内で機能する電界発電機や電界電動機であると結論した。
【実施例】
【００２０】図２は‘Ｈａｎｓ  Ｃｏｌｅｒ’  コンバータの一般的に知られた結線図である、この構成が強電界中で直流電力発生源として機能する事は次の説明により科学的に理解が可能である、またさらに図２中の磁芯コイルは現代では普通に用いられているＡＭ帯バーアンテナへ検波磁界相殺による検波機能を持たせた電界検出器であると理解できる。【００２１】そしてここでは磁性体コア材に磁石を用いる為、無指向ＡＭラジオ放送帯での強電界を想定すると、Ｌ１からＬ６が等しく直流電圧を誘起する事はフレミングの法則から明らかである、ここで通常のラジオ受信の様な特定指向を持つ強電界環境を考える時、ＡＭ帯バーアンテナはそのコア材と直行する電界を最大効率で電圧変換する事が明らかである、【００２２】図３においてはＬ３、Ｌ６のみが誘導成分表記となり、Ｌ１、Ｌ２、Ｌ４、Ｌ５の誘導成分が抵抗表記とされているがＬ１〜Ｌ６は同一品なのでＬ１〜Ｌ６は全て誘導成分表記でなければならず、図３の表現は引用先文献での誤りと考えられる、またＬ１〜Ｌ６は六角形配置されている為、直行する電界を最大効率で電圧変換する磁芯コイルは常に１組の磁芯コイルとなる。【００２３】すなわち図１、図２、図３により表わされる‘Ｈａｎｓ  Ｃｏｌｅｒ’  コンバータを通常のラジオ受信の様な特定指向を持つ強電界環境へ置く場合、回路はＬ１とＬ５、Ｌ３とＬ６、Ｌ２とＬ４がそれぞれに電圧を誘起する状態を考えられる。【００２４】図２を例に、図１、図３を基本として、発明者が回路を再考した実働回路（図４）で解説する、また２つのソレノイドコイルは‘Ｈａｎｓ  Ｃｏｌｅｒ’  コンバータ上の何処へ配置するかがＰｒａｃｔｉｃａｌ  Ｇｕｉｄｅ  ｔｏ‘Ｆｒｅｅ−Ｅｎｅｒｇｙ’Ｄｅｖｉｃｅｓでは未定とされ適当な配置となっている、さらにこの参考文献内ではソレノイドの意味を追試者が誤解している様でソレノイドとして無意味な配置となっている為、発明者が一般的な電子工学の知識で再考察し‘Ｈａｎｓ  Ｃｏｌｅｒ’  コンバータ上の切り替えＳＷと２つのソレノイドコイルを一般的な電磁ソレノイドと考え回路を修正した。【００２５】結果、図２、図３でＯｕｔｅｒ、Ｉｎｎｅｒと表記された２つのソレノイドコイルは切り替えＳＷのＯＮ／ＯＦＦラッチ用途と判断した、つまりＯｕｔｅｒ、Ｉｎｎｅｒの表記は、ＳＷの機能の英国風古典表記であり、ＩＮ／ＯＵＴ意味すると考えた、そしてソレノイドコイルを移動可能な構造としている点は、図２、図３で表わされる‘Ｈａｎｓ  Ｃｏｌｅｒ’  コンバータが試作品以前の実験機である事を意味し、つまりソレノイドの物理的な位置を移動する事で切り替えＳＷのＯＮ／ＯＦＦラッチ閾値を調整する為と理解した（磁芯コイルが移動可能な構成である点も同様な理由）。【００２６】以上の様な考察の上、通常のラジオ受信の様な特定指向を持つ強電界内でＬ１とＬ５に誘起する電流を考える。Ｌ１とＬ５は同じ磁芯コイルなので同じ電圧を誘起する、図４で電流の流れを考えた場合、Ｌ５に誘起した電圧はＩＮＮＥＲソレノイドを通過しＬ６からＬ４へ流れるがＬ４は直流出力ラインへコンデンサ結合されている、【００２７】経路に入るＩＮＮＥＲソレノイドは所定の電界強度で機能する様物理位置を調整する事で、切り替えＳＷを自動制御出来る、つまりＩＮＮＥＲソレノイドがＯＵＴの場合はＬ５の誘起電圧がＬ１の結合コンデンサにチャージされた形で出力する、またＩＮＮＥＲソレノイドがＩＮの場合はＬ１とＬ５が誘起電圧を相殺する関係なので再びＩＮＮＥＲソレノイドがＯＵＴとなる。【００２８】Ｌ２とＬ４は結線状態がＬ１とＬ５と同一条件なので、ソレノイドコイルの設定によりＬ１とＬ５と同一に機能する、また、Ｌ３とＬ６も誘起電圧によりソレノイドをＯＮ／ＯＦＦ制御するが、図２、図３で表わされる接続構造では磁芯による損失が大きい為、Ｌ１とＬ５、Ｌ３とＬ６の‘誘導電池’的な意味よりは、ソレノイド制御へ特化して設けた磁芯コイルと思われる、【００２９】またこの構成の‘Ｈａｎｓ  Ｃｏｌｅｒ’  コンバータは強電界の照射状況や変調形態を考慮し、磁芯コイルが互いに反発磁界を制御可能な様、図５、図６の構成をとれば‘Ｈａｎｓ  Ｃｏｌｅｒ’  コンバータをローターとした電界電動機を実現する事ができる。
【産業上の利用可能性】
【００３０】磁芯コイルを用いた電力検波はマグアンプ制御による電力制御と同等な直流大電力制御を簡単に、また低雑音で実現可能な為、‘Ｈａｎｓ  Ｃｏｌｅｒ’  コンバータそのものをローターとした電界電動機へ応用した場合は優れたＥＭＣ特性を期待できる、【００３１】従って超音波モーターの構造が要求されながら、回転駆動力上の問題から超音波モーターが利用できないと言った、例えば宇宙空間での各種回転運動制御や回転力生成装置への応用、原子力発電所での各種救助作業ロボットのアクチュエーター等へ応用可能と思われる。【００３２】またさらに強電界の種類と変調法を検討可能であれば、人工心臓装置やシリコン・メカトロニクスを用いたディスポーザル型医療用ナノマシンへ利用可能と考えられ、特殊環境における精密制御可能な小型電動機を安価に実現可能である。
【図面の簡単な説明】
【００３３】
【図１】Ｐｒａｃｔｉｃａｌ  Ｇｕｉｄｅ  ｔｏ‘Ｆｒｅｅ−Ｅｎｅｒｇｙ’Ｄｅｖｉｃｅｓ内、Ｃｈａｐｔｅｒ９：Ｐａｓｓｉｖｅ  Ｓｙｓｔｅｍｓ‘Ｔｈｅ  Ｄｅｖｉｃｅｓ  ｏｆ  Ｈａｎｓ  Ｃｏｌｅｒ’より引用した、‘Ｈａｎｓ  Ｃｏｌｅｒ’コンバータを構成する磁芯コイル概略である。
【図２】Ｐｒａｃｔｉｃａｌ  Ｇｕｉｄｅ  ｔｏ‘Ｆｒｅｅ−Ｅｎｅｒｇｙ’Ｄｅｖｉｃｅｓ内、Ｃｈａｐｔｅｒ９：Ｐａｓｓｉｖｅ  Ｓｙｓｔｅｍｓ‘Ｔｈｅ  Ｄｅｖｉｃｅｓ  ｏｆ  Ｈａｎｓ  Ｃｏｌｅｒ’より引用した図１の磁芯コイルにより構成された‘Ｈａｎｓ  Ｃｏｌｅｒ’コンバータである。
【図３】Ｐｒａｃｔｉｃａｌ  Ｇｕｉｄｅ  ｔｏ‘Ｆｒｅｅ−Ｅｎｅｒｇｙ’Ｄｅｖｉｃｅｓ内、Ｃｈａｐｔｅｒ９：Ｐａｓｓｉｖｅ  Ｓｙｓｔｅｍｓ‘Ｔｈｅ  Ｄｅｖｉｃｅｓ  ｏｆ  Ｈａｎｓ  Ｃｏｌｅｒ’より引用した‘Ｈａｎｓ  Ｃｏｌｅｒ’コンバータ等価回路である。
【図４】図２、図３を基本に通常の電子工学で再考察した等価回路である（磁芯コイルは略表記）。
【図５】図４の回路構成で実現する‘Ｈａｎｓ  Ｃｏｌｅｒ’コンバータを２基用いた電界電動機側面略図である。
【図６】図４を用いた電界電動機実現に必要な磁芯コイルへのオフセット概要および側面略図である（実際の応用では磁芯コイル、全１２本へオフセットを与える）。
【符号の説明】
【００３４】１      メーター等、直流電圧監視表示  手段
２      負荷変動検出用結合容量  手段
３      電界検出および直流生成  手段（磁芯コイルの略表記）
４      双方向ラッチ型電流伝達  手段（ラッチング電磁ソレノイド）
【図１】
2015100255.tif 000009
【図２】
2015100255.tif 000010
【図３】
2015100255.tif 000011
【図４】
2015100255.tif 000012
【図５】
2015100255.tif 000013
【図６】
2015100255.tif 000014